(57)【要約】  【課題】  スルーホールへの圧入時における端子の捩れを防止するようにしたプレスフィット端子を提供する。  【解決手段】  両側の当接部１５ａ、１５ｂを傾斜状の連結部１６にて連結することで断面Ｎ形状の圧接部１４形成したプレスフィット端子１１において、当接部１５ａ、１５ｂの外面には連結部１６の弾性変形に伴い当接部１５ａ、１５ｂに作用する所要方向の捩れを阻止するための捩れ規制部を設けている。捩れ規制部としてプレスフィット端子１１の捩れ方向と反対方向の回転力を付与するために当接部１５ａ、１５ｂの外面に傾斜状の溝部または突条部を設けて、これにより圧接部１４に作用する捩れを打ち消すようにしている。  【選択図】  図１
2005259503.tif 000002
【特許請求の範囲】
【請求項１】
プリント回路基板のスルーホールに圧入されることで該スルーホールの内周に形成された接点部と電気的に接触可能な圧接部を備え、該圧接部は上記接点部に当接すべく両側に膨出形成した一対の当接部と、両当接部間を断面傾斜状に連結する連結部とからなり、上記圧接部をスルーホール内に挿入したとき上記連結部が折り畳まるように弾性変形して両当接部を上記接点部に弾性接触させるようにしたプレスフィット端子において、
上記当接部の外面には上記連結部の弾性変形に伴い当接部に作用する所要方向の捩れを規制するように上記接点部の内周に圧接される捩れ規制部を設けたことを特徴とするプレスフィット端子。
【請求項２】
上記捩れ規制部は圧接部の外面に長さ方向に形成した溝部または突条部からなり、該溝部または突条部は上記スルーホールへ圧接部を挿入したとき両当接部が内方へ移動するのに伴って所定方向に生じる捩れと反対方向に圧接部を回転させる方向に傾斜させている請求項１に記載のプレスフィット端子。
【請求項３】
上記捩れ規制部は圧接部の外面に長さ方向に形成した突部からなり、該突部には上記スルーホールへ圧接部を挿入したとき両当接部が内方へ移動するのに伴って所定方向に生じる捩れによって上記接点部に食い込み可能な爪部を備えている請求項１に記載のプレスフィット端子。
【発明の詳細な説明】
【技術分野】
【０００１】
本発明は、プレスフィット端子に関し、詳しくはスルーホールへの圧入時におけるプレスフィット端子の捩れを防止するものである。
【背景技術】
【０００２】
従来、プリント回路基板のスルーホールに挿入されてその内周に形成された接点部との間で電気的接続を取るために用いられる端子として、半田付けを行わずにスルーホールに圧入して接触固定するようにしたプレスフィット端子が知られている。一例として、特許文献１に記載のものは、図５（Ａ）（Ｂ）に示すように、Ｎ型とも称されるものであって、一対の当接部２ａ、２ｂが、傾斜状の連結部３で橋渡しされることで断面Ｎ形状（Ｚ形状）とされると共に、外側へ膨出形成されて径方向へ弾性変形可能な構造となっている。そして、このプレスフィット端子１は、両側の当接部２ａ、２ｂが連結部３を介して内方へ閉じるように弾性変形しつつプリント回路基板のスルーホールに挿入され、その開き方向への弾発力によりスルーホール内周面に押し付けられて、抜け止めが図られると共に、スルーホールの接点部との電気的接続が取られるようになっている。
【特許文献１】特開昭５８−１８９９７０号公報
【発明の開示】
【発明が解決しようとする課題】
【０００３】
しかしながら、上記構成からなるプレスフィット端子１は、両側の当接部２ａ、２ｂを断面傾斜状の連結部３により橋渡した構造のため、プレスフィット端子１のスルーホールへの圧入時に所要方向に捩れが生じる。即ち、両側の当接部２ａ、２ｂは連結部３の中心点Ｐを基準とする点対称構造となっており、このため当接部２ａ、２ｂが中心方向へ押圧されると、連結部３はこの変形を許容するため中心点Ｐを支点としてＡ方向へ回転する。これにより、スルーホールにはプレスフィット端子１の回転に伴う円周方向の捩れが生じ、この歪の影響で、スルーホールに対する弾性当接部２ａ、２ｂの接触圧が不十分となって接触信頼性が低下する等のおそれがあった。
【０００４】
本発明は上記した問題に鑑みてなされたもので、スルーホールへの挿入時にプレスフィット端子に捩れが生じることのない構造を備えたプレスフィット端子を提供することを課題としている。
【課題を解決するための手段】
【０００５】
上記課題を解決するため、プリント回路基板のスルーホールに圧入されることで該スルーホールの内周に形成された接点部と電気的に接触可能な圧接部を備え、該圧接部は上記接点部に当接すべく両側に膨出形成した一対の当接部と、両当接部間を断面傾斜状に連結する連結部とからなり、上記圧接部をスルーホール内に挿入したとき上記連結部が折り畳まるように弾性変形して両当接部を上記接点部に弾性接触させるようにしたプレスフィット端子において、
上記当接部の外面には上記連結部の弾性変形に伴い当接部に作用する所要方向の捩れを規制するように上記接点部の内周に圧接される捩れ規制部を設けたことを特徴とするプレスフィット端子を提供している。
【０００６】
上記構成によれば、当接部の外面に設けた捩れ規制部がスルーホール内面の圧接部に圧接されることで、スルーホールへのプレスフィット端子の挿入時に生じる捩れを防止することができる。
【０００７】
また、上記捩れ規制部は圧接部の外面に長さ方向に形成した溝部または突条部からなり、該溝部または突条部は上記スルーホールへ圧接部を挿入したとき両当接部が内方へ移動するのに伴って所定方向に生じる捩れと反対方向に圧接部を回転させる方向に傾斜させるようにしてもよい。
このようにすれば、溝部または突条部からなる捩れ規制部がネジのように所要方向の回転力を生じさせるように作用するので、この捩れ規制部の回転方向がプレスフィット端子に生じる捩れ方向と逆方向となってプレスフィット端子の捩れを打ち消すことができる。
【０００８】
また、上記捩れ規制部は圧接部の外面に長さ方向に形成した突部からなり、該突部には上記スルーホールへ圧接部を挿入したとき両当接部が内方へ移動するのに伴って所定方向に生じる捩れによって上記接点部に食い込み可能な爪部を備えるようにしてもよい。
このように構成すれば、スルーホールへのプレスフィット端子の挿入に伴って捩れの発生が始まるとき、捩れ規制部の爪部がスルーホール内周の接点部に食い込むように作用するため、プレスフィット端子に捩れが生じるのを防止することができる。
【発明の効果】
【０００９】
以上の説明より明らかなように、本発明のプレスフィット端子によれば、スルーホールに対しプレスフィット端子を挿入する際、所謂Ｎ型（Ｚ型）のような断面点対称形状のものに生じる弾性変形時の所要方向への捩れを防止することができる。これにより、当接部本来が有するスルーホール内周への接触圧を確保することができ、プレスフィット端子の電気的な接続安定性を維持することができる。
【発明を実施するための最良の形態】
【００１０】
以下、本発明の実施形態を図面を参照して説明する。
図１、図２は、本発明のプレスフィット端子１１の第１実施形態を示し、このプレスフィット端子１１は、プリント回路基板２１（図２）のスルーホルール２２に圧入されるもので、導電性の金属線をプレス加工することにより、断面長方形の細長い角棒状に形成されている。プリント回路基板２１の表面には所要の導電路（図示せず）が形成されると共に、この導電路の所要個所に多数のスルーホール２２が開口形成され、各スルーホール２２の内周面にはメッキ処理等によって全周にわたり導電性の接点部２３が形成されている。プレスフィット端子１１はこのスルーホール２２に挿入されることで接点部２３を介して対応する導電路と電気的な接触が得られるようになっている。
【００１１】
プレスフィット端子１１は一端を他の端子等と接続される端子接続部（図示せず）とし、他端をプリント回路基板２１の接点部２３に圧接される基板接続部１２としている。この基板接続部１２には挿入方向先端部にスルーホール２２への挿入を案内するための先細り状の案内部１３を形成すると共に、この案内部１３の手前位置にはスルーホール２２の深さ寸法より長い領域にわたってスルーホルール２２に対する圧接部１４を形成している。
【００１２】
この圧接部１４の両側部には対向位置においてスルーホール２２の内周に接触する当接部１５ａ、１５ｂを形成している。各当接部１５ａ、１５ｂは肉厚の帯状をなして外方へほぼ円弧状に膨出形成され、各当接部１５ａ、１５ｂの内面には対角位置に沿って傾斜状に橋渡しされる薄肉の連結部１６を一体的に連結している。即ち、連結部１６は板状をなし、図１（Ｃ）に示すように、他方の当接部１５ａにおける幅方向の一端と、他の当接部１５ｂにおける幅方向の他端との間を連結するように配置され、これにより圧接部１４の断面形状がＮ形状となるようにしている。圧接部１４は、このような断面Ｎ形状とすることで、両側の当接部１５ａ、１５ｂが内方、即ち中心部方向へ押圧されたとき、連結部１６が中心点Ｐを基準として図２（Ｂ）中Ａ方向に捩れて回転すると共に、各圧接部１４との連結基部で屈曲することにより弾性的に両当接部１５ａ、１５ｂ間の寸法を縮めることができるようになっている。
【００１３】
また、圧接部１４における当接部１５ａ、１５ｂの外面にはプレスフィット端子１１の軸方向に対し傾斜した方向に延びる複数の溝部１７をプレスフィット端子１１の捩れ規制部として形成している。この溝部１７の傾斜方向は、圧接部１４をスルーホール２２に挿入したとき両当接部１５ａ、１５ｂが連結部１６の弾性に抗して中心方向へ移動するのに伴って生じるＡ方向の捩れとは反対方向（Ｂ方向）に圧接部１４を回転させることができる方向に設定している。即ち、図１（Ｂ）の本実施形態では上方から下方へ至るに従い右方向に傾斜させるようにし、この溝部１７がスルーホール２２の接点部２３にくい込んでネジと同様の作用を奏することでＢ方向への回転力を付与するようにしている。
【００１４】
また、プレスフィット端子１１における圧接部１４の手前位置には両側面に水平方向に向けて受部１８を突設し、この受部１８をプレスフィット端子１１のスルーホルール２２への挿入時における治具当て部としている。
【００１５】
次に、図２（Ａ）（Ｂ）に示すように、プリント回路基板２１のスルーホルール２２へプレスフィット端子１１を挿入して接点部２３と電気的に接続するには、先ずスルーホルール２２に挿入すべきプレスフィット端子１１を位置決めした後、受部１８を機械的に押圧する。これにより、プレスフィット端子１１は先端の案内部１３からスルーホルール２２内に挿入され、続いて圧接部１４が接点部２３に接触しながら圧入される。このとき、圧接部１４を構成する当接部１５ａ、１５ｂは接点部２３との接触により中心方向へ順次押圧される。これにより連結部１６が折り畳まれるように弾性変形するのに伴って両当接部１５ａ、１５ｂは中心点Ｐを基点としてＡ方向に捩れようとする。これに対し、当接部１５ａ、１５ｂの外面に形成した溝部１７が接点部２３にくい込んでＢ方向へ圧接部１４を回転させようとするので、連結部１６の撓みによるＡ方向の回転が打ち消されることとなる。これによりプレスフィット端子１１全体としてはスルーホール２２に対し捩れを生じることなく十分な接圧を確保して電気的に安定した状態で固定維持することができる。
【００１６】
図３（Ａ）（Ｂ）はプレスフィット端子２１の第２実施形態を示し、圧接部２４における当接部２５ａ、２５ｂの外面に形成すべき溝部２７を圧接部２４に回転力を付与するのではなく、滑り止めとして機能させるようにしたものである。即ち、図２（Ａ）では、溝部２７としてプレスフィット端子２１の軸方向に平行したストレート溝２７ａとしている。更に図２（Ｂ）では、方向の異なる傾斜を組み合わせることで網目状としたクロス溝２７ｂとしている。
このように第２実施形態では、溝部２７が接点部２３に食い込むことで滑り止めとして機能させ、これによりスルーホール２２へ圧接部２４が挿入される際のＡ方向への捩れを規制可能としている。
【００１７】
なお、上記第１、第２実施形態では捩れ規制部として溝部１７、２７を採用した例を示したが、溝に代えて外方へ突出する突条を溝部１７、２７と同様に配置するものであってもよい。
【００１８】
図４（Ａ）〜（Ｃ）はプレスフィット端子３１の第３実施形態を示し、圧接部３４の各当接部３５ａ、３５ｂの外面に捩れ規制部としてスルーホール２２の接点部２３にくい込み可能な爪部３７を突設している。即ち、当接部３５ａ、３５ｂにおいて連結部３６が連結されている側と反対側の外部端面基部から中央部へ向かって略半分の幅位置まで順次盛り上がり状に突出する突部３８を形成している。そして、この突部３８の端部を段差状に切り落とすことで端部に爪部３７を形成するようにしている。なお、その他の構成は第１実施形態と同一のため、同一符号を付してその説明を省略する。
このように形成された爪部３７は、プレスフィット端子３１のスルーホール２２への挿入時のＡ方向の捩れに対し、接点部２３にくい込むように作用する。このため、スルーホール２２への挿入時におけるプレスフィット端子３１の捩れを爪部３７によって効果的に規制することができる。
【００１９】
なお、プレスフィット端子としては、上記実施形態において圧接部の断面がＮ形状（Ｚ形状）のものを示したが、スルーホールへの挿入時に当接部が捩れるように変形するタイプであればよく、その前提構成を限定するものではない。また、捩れ規制部としての溝部、突条部、爪部は、１本でも複数本でもよく、圧接部の捩れを規制可能であれば、その数、形状を限定するものではない。
【図面の簡単な説明】
【００２０】
【図１】本発明の第１実施形態のプレスフィット端子を示し、（Ａ）は正面図、（Ｂ）は側面図、（Ｃ）はＸ−Ｘ断面図である。
【図２】（Ａ）はスルーホールにプレスフィット端子を挿入固定した状態の断面図、（Ｂ）はＹ−Ｙ断面の要部拡大図である。
【図３】（Ａ）（Ｂ）は第２実施形態のプレスフィット端子の側面図である。
【図４】プレスフィット端子の第３実施形態を示し、（Ａ）は要部の正面図、（Ｂ）はＺ−Ｚ断面図、（Ｃ）はスルーホールへ挿入した状態の断面図である。
【図５】（Ａ）（Ｂ）は従来例を示す図である。
【符号の説明】
【００２１】
Ｐ  中心点
１１、２１、３１プレスフィット端子
１４、２４、３４圧接部
１５ａ、１５ｂ  当接部
１６  連結部
１７、２７  溝部（捩れ規制部）
３７  爪部（捩れ規制部）
２１  プリント回路基板
２２  スルーホール
２３  接点部
【図１】
2005259503.tif 000003
【図２】
2005259503.tif 000004
【図３】
2005259503.tif 000005
【図４】
2005259503.tif 000006
【図５】
2005259503.tif 000007